【事件の表示】
　平成　４年特許願第２６９６２１号「画像処理装置」拒絶査定不服審判事件〔平成　６年　４月　８日出願公開、特開平　６−　９５４６４〕について、次のとおり審決する。
【結　論】
　本件審判の請求は、成り立たない。
【理　由】
第１　本願発明
　本願は、平成４年９月１１日の出願であって、その請求項１ないし３に係る発明は、平成１３年３月１６日付け、平成１４年２月２０日付け及び平成１４年６月２５日付けの手続補正により補正された明細書及び図面の記載からみて、その特許請求の範囲に記載されたとおりのものであって、特に請求項１に係る発明（以下「本願発明」という。）は、以下のとおりのものである。なお、平成１３年７月９日付けの手続補正は却下され、その決定は確定した。
　
「ジョブを登録するための登録ボタンと、登録されたジョブを削除するための削除ボタンと、登録されているすべてのジョブの登録状況が認識可能に表示され、該すべてのジョブのうち一つを選択するためのジョブ選択ボタンとを表示する機能選択画面と、
　この機能選択画面の登録ボタン又は削除ボタンといずれか一つのジョブ選択ボタンとの選択を受け付けた場合に表示され、該選択の受け付けを確認する確認画面と、
を有することを特徴とする画像処理装置。」
　
第２　刊行物の記載事項
１．前置審査において通知された拒絶理由において引用され、本願の出願日前に頒布された、特開昭６１−２２３５７号公報（以下「刊行物１」という。）には、以下に列挙する事項が記載されている。
　
（１）公報４ページ左上欄第５行目ないし右上欄１０行目
「本発明の複写機では、第２−１図に示した通常の操作表示部と第２−２図に示したフアンクシヨンキーを持つた操作表示部を合わせ持つ構成の例である。第２−２図において、５０は多機能表示装置、５１はフアンクシヨンキーである。第２−１図において、登録キーを設けておき、たとえばＲ（登録）キーを設けてこの登録キーをＯＮすると、順次登録される。登録の数は、第２−２図の例では９つで、新たに登録する時には、対応するフアンクシヨンキーのデーターを消去して行なう。この方法は、例えば第２−１図にデリート［Ｄ］キーを設けておき、対応するフアンクシヨンキーを［Ｄ］→［１］というように押せば、［１］のフアンクシヨンが消去出来る。登録する際、［Ｒ］キーをＯＮして、次にフアンクシヨンキーを押さなければ、自動的に空いているフアンクシヨンキーに対応するデーターバンクに登録される。フアンクシヨンキーを指定すれば、そのキーに対応するデーターバンクが空の場合はそのまま登録出来るが、すでにデーターが入っている場合は、表示部にその内容がデイスプレイされ、消去？という質問が現われるから、消去したい場合には、［Ｄ］のキーをＯＮすれば、その内容が消去される。消去したくない場合には、［Ｃ］クリアキー、又は［Ｒ］登録キーをＯＮすれば良い。又は、何もしないで、［Ｄ］のキーが押されなければ、他の操作、動作に移っても消去されない。」
　
注：公報において○囲みで表記されている文字については、［］囲みで表記している。以下同じ。
　
（２）第２−２図には、９個のフアンクシヨンキー５１が操作表示部に設けられていることが図示されている。
　
　（１）の記載からみて９個の登録が可能であり、かつ、（２）の記載から９個のファンクションキーが設けられているものであるから、登録された全てのファンクションに対して、対応するファンクションキーが設けられているものである。
　したがって、刊行物１には、以下のとおりの発明（以下「引用発明」という。）が記載されているものと認める。
「ファンクションを登録するための［Ｒ］キーと、
　登録されたファンクションを消去するための［Ｄ］キーと、
　登録されている全てのファンクションに対応して設けられ、登録されているファンクションのうちの１つを選択するためのファンクションキーと、
　多機能表示装置とを有する操作表示部を備え、
　操作表示部の［Ｒ］キーとファンクションキーとを押し、該ファンクションキーに対応するデーターバンクにデーターが入っている場合に表示され、前記既に入っているデーターを消去するか否かを確認する画面（以下「確認画面」という。）を多機能表示装置に表示する複写機。」
　
２．同じく、実願平１−４１８８１号（実開平２−１３２２５３号）のマイクロフィルム（以下「刊行物２」という。）には、以下に列挙する事項が記載されている。
　
（１）明細書５ページ５行目ないし６ページ１行目
「次に、複写機本体１の上面の一部に設けられた操作パネル２５の構成を第２図により説明する。…。更に、このような操作パネル２５の一部には、タッチパネルセンサ付き表示パネル部としての液晶表示構造によるグラフィックＬＣＤディスプレイ（以下、ＬＣＤと称する。）３２が設けられている。本実施例のＬＣＤ３２…の表面は透明なタッチパネルスイッチとなっており、表示とキー入力との双方の機能を持つ。」
　
（２）明細書１３ページ１１行目ないし１４ページ１行目
「また、第４図中の『ソート』…等で示すような四角枠で囲んで示した領域中は、緑Ｇ表示（以下、緑Ｇ表示領域は点々を付した梨地で示す）であり、文字は黒ＢＫ表示とされている。このような表示状態の部分がキーであることを示し、押下し得ることになる。一方、第４図中の『等倍』…等で示すように白抜きの四角枠で囲まれ、かつ、その地肌色が黒ＢＫとなっている領域は、現在選択されているキーであることを示し、再押下できないキーとなる。」
　
（３）明細書１４ページ１４ないし２０行目
「次に複写モード登録時について説明する。…。第８図はプログラムナンバー１，２，３，４，８，９，１０が白抜き黒地になっていてプログラム登録済みであることを表示し、プログラム５，６，７は緑色でプログラム未登録であることを表示している。」
　
（４）第８図には、プログラムナンバー５，６，７と同様の表示形態で、「終了」キーが設けられていることが図示されている。
　
３．同じく、特開平１−１９３６７号公報（以下「刊行物３」という。）には、以下に列挙する事項が記載されている。
（１）公報３２ページ左上欄３ないし６行目
「第３８図は、ＩＣカードに対して複写機の現在設定されている複写条件すなわちコンソールパネル２８上に現在表示されている複写条件を登録するための作業を説明するためのものである。」
（２）公報３２ページ右下欄３ないし９行目
「なお、データの重ね書きやクリアは前のデータを消去するという作業であり、慎重を要する。したがって、データのクリアを例にとると、クリアを実行するために設定キー１１９が押された段階で第４２図に示すようにクリアの確認表示を行い、再度設定キー１１９が押されることを条件としてデータの処理を行うようにしてもよい。」
　
第３　対比
　本願発明と引用発明とを対比する。
　引用発明における「［Ｒ］キー」及び「［Ｄ］キー」は、ジョブをジョブ選択ボタンに登録又は削除するための入力手段であるから、本願発明における「登録ボタン」及び「削除ボタン」と同等の機能を有する。
　引用発明における「ファンクションキー」は、登録されている全てのジョブのうちの１つを選択するための入力手段であるから、本願発明における「ジョブ選択ボタン」と同様の機能を有する。
　引用発明における「確認画面」は、登録ボタンと一つのジョブ選択ボタンとの選択を受け付けた場合に表示され、該選択の受け付けを確認する画面であるから、本願発明における「確認画面」に相当する。
　
　したがって、両者は
「ジョブを登録するための登録入力手段と、登録されたジョブを削除するための削除入力手段と、登録されているすべてのジョブのうち一つを選択するためのジョブ選択手段とを備え、
　この登録入力手段といずれか一つのジョブ選択手段との選択を受け付けた場合に表示され、該選択の受け付けを確認する確認画面を有することを特徴とする画像処理装置。」
である点で一致し、以下の点で相違している。
　
１．登録入力手段、削除入力手段及びジョブ選択手段につき、本願発明は機能選択画面にボタンを表示することで登録ボタン、削除ボタン及びジョブ選択ボタンを構成するとともに、ジョブ選択ボタンは登録されているすべてのジョブの登録状況が認識可能に表示されているのに対して、引用発明における［Ｒ］キー、［Ｄ］キー及びファンクションキーは、どのように構成しているか規定していないし、すべてのジョブの登録状況が認識可能に構成されているのか規定していない点。
　
２．本願発明ではジョブの登録時及びジョブの削除時の両方で確認画面を表示しているのに対して、引用発明ではジョブの登録時に確認画面を表示しているがジョブの削除時に確認画面を表示するか否かにつき規定していない点。
　
第４　相違点に対する判断
１．相違点１に対して
　刊行物２には、複写モードのプログラム登録が可能な複写機において、その表面を透明なタッチパネルスイッチとしたＬＣＤを複写機本体の操作パネルに有し、複写モードのプログラム登録時に、プログラムナンバーを登録済みか未登録かが分かるキーとして表示するとともに、終了キーを併せてＬＣＤ上に表示し、キーを押下可能に構成したものが記載されている。
　刊行物２に記載された発明における「プログラム」は、相違点１に係る技術的事項における「ジョブ」に相当する。
　刊行物２に記載された発明における「プログラムナンバーの表示」は、すべてのジョブの登録状況が認識可能に構成されたボタンの表示であるから、相違点１に係る技術的事項における機能選択画面内の「ジョブ選択ボタンの表示」に相当する。
　刊行物２に記載された発明における「終了キー」は、機能選択画面にジョブ選択ボタンと同時に表示されるキーであるから、相違点１に係る技術的事項における「登録ボタン及び削除ボタン」と同様の機能を有する。
　してみると、相違点１に係る技術的事項における、機能選択画面にボタンを表示することでジョブ選択ボタン及びその他のボタンを構成するとともに、ジョブ選択ボタンは登録されているすべてのジョブの登録状況が認識可能に表示されていることは、刊行物２に記載されているものである。
　
　引用発明に上記公知技術を組み合わせる際に、引用発明における［Ｒ］キー及び［Ｄ］キーを刊行物２に記載された発明における終了キーと同様に、ジョブ選択ボタンと同時に表示されるボタンとして構成することは、単にボタンにおける機能割り当てに過ぎず、格段の困難を要するものでもないし、また、組み合わせたところで顕著な作用効果を奏するものでもない。
　
　したがって、引用発明におけるファンクションキーならびに［Ｒ］キー及び［Ｄ］キーを、刊行物２に記載された様にすべてのプログラムの登録の有無を認識可能に表示されたＬＣＤ及びタッチパネルにより構成することは、当業者が容易に想到し得るものである。
　
２．相違点２に対して
　刊行物３には、その複写条件を登録可能にした複写機において、複写条件のデータを重ね書きしたりクリアする場合に、確認表示を行い、再度設定キーが押されたことを条件としてデータの処理を行うものが記載されている。
　刊行物３に記載された発明における「データのクリア」及び「確認表示」は、相違点２に係る技術的事項における「ジョブの削除」及び「確認画面」に相当するから、相違点２に係る技術的事項は刊行物３に記載されているものである。
　
　引用発明に上記公知技術を組み合わせ、登録時に加えて削除時にも確認を行うよう構成することに格段の困難を要するものでもないし、また、組み合わせたところで顕著な作用効果を奏するものでもない。
　
　したがって、引用発明において、ファンクションキーのデータを消去する際にも、刊行物３に記載された様に確認をしてから消去を行うよう構成することは、当業者が容易に想到し得るものである。
　
第５　むすび
　上述のとおり、本願発明は、刊行物１に記載された発明、刊行物２に記載された発明及び刊行物３に記載された発明に基づいて当業者が容易に発明をすることができたものであるから、特許法第２９条第２項の規定により特許を受けることができない。したがって、他の請求項に係る発明について検討するまでもなく、本願は拒絶すべきものである。
　よって、上記結論のとおり審決する。